(57)【要約】      （修正有）【課題】野外施設物の木材柱連結構造を提供する。【解決手段】硬質木材で四角または円形の棒状に形成され、上面中央部に円形の結合溝１１１が垂設され、上端外周縁に四角または円形の締結凹１１３が形成される下部柱１１０と、軟質木材で四角または円形の棒状に形成され、底面中央部に下部柱の結合溝１１１と結合される結合突起１２１が突設される上部柱１２０を、金属または合成樹脂で四角または円形の帯状に形成され、前記下部柱１１０の締結凹１１３に締結されて前記下部柱１１０と前記上部柱１２０を締結固定させる締結バンド１３０で連結する。軟質木材と硬質木材の連結部位に溝１１１を加工して互いに連結した後、連結部位に締結凹１１３を形成して締結バンド１３０を連結することにより、木材の伸縮性による変形を防止し、耐久性及び密着性を高めて木材柱との結合力を向上させる。【選択図】図５
2008144579.tif 000002
【特許請求の範囲】
【請求項１】
硬質木材で四角または円形の棒状に形成され、地面に固定設置され、上面中央部に結合溝が垂設され、上端外周縁に四角または円形の締結凹が形成される下部柱と、
軟質木材で四角または円形の棒状に形成され、底面中央部に下部柱の結合溝と結合される結合突起が突設される上部柱と、
金属または合成樹脂で四角または円形の帯状に形成され、前記下部柱の締結凹に締結されて前記下部柱と前記上部柱を締結固定させる締結バンドと、
金属または合成樹脂製であり、前記上部柱の上端に外嵌される上部保護キャップと、
金属または合成樹脂製であり、前記下部柱の下端に外嵌される下部保護キャップと、を含むことを特徴とする野外施設物の木材柱連結構造。
【請求項２】
前記下部柱の締結凹には、これを水平に貫通する第１ロープホールが形成され、
前記上部柱の締結突起には、第１ロープホールと対応する第２ロープホールが形成され、
前記第１ロープホール及び第２ロープホールを貫通するロープがさらに備えられることを特徴とする請求項１に記載の野外施設物の木材柱連結構造。
【請求項３】
前記下部柱と前記上部柱が四角棒状である場合、前記締結バンドは、
両端部に第１ボルトホール付きの締結板が内方へ垂直折曲され、半球状の第１リーブが等間隔で幅方向に併設され、前記ロープが貫通する第３ロープホールが形成される、コ字状のボディと；
両端部に前記ボディの締結板と結合する第２ボルトホールが形成され、半球状の第２リーブが等間隔で幅方向に併設され、前記木ロープが貫通する第４ロープホールが形成される、長方形板状の結合板と；を備えてなることを特徴とする請求項１または２に記載の野外施設物の木材柱連結構造。
【請求項４】
前記下部柱と前記上部柱が円形棒状である場合、前記締結バンドは、
両端部に第１ボルトホールが形成され、半球状の第１リーブが等間隔で幅方向に併設され、前記ロープが貫通する第３ロープホールが形成される、半円環状の第１ボディと；
両端部に第２ボルトホールが形成され、半球状の第２リーブが等間隔で幅方向に併設され、前記ロープが貫通する第４ロープホールが形成される、第１ボディと結合して円形を成す半円環状の第２ボディと；を備えてなることを特徴とする請求項１または２に記載の野外施設物の木材柱連結構造。
【発明の詳細な説明】
【技術分野】
【０００１】
本発明は、野外施設物の木材柱連結構造に係り、詳細には、一般木材と硬質木材の連結部位に溝を加工して互いに直交して連結した後、連結部位に溝を形成して金属バンドを連結する野外施設物の木材柱連結構造に関する。
【背景技術】
【０００２】
近年、住居及び都市環境が重要であるという観点から、住居地及び都心の所々に多様な緑地空間としての公園が設けられており、このような公園や都心の所々には気軽に休める野外施設物、例えばパーゴラ(pergola)、遊び施設などが設けられている。
【０００３】
現在使用されている野外用施設物のうちパーゴラ及び遊び施設などにおける主柱が鉄材または木材で構成されていて、約５〜１０年使用後には地面と連結された連結部が酷く腐食してしまい安全事故を引き起こし、さらに美観を損なうことがある。
【０００４】
したがって、全量廃棄処分し、あらためて設置しなければならないため、経済性はもとより安全性及び耐久性などの面から問題となっている。しかも、野外施設物は主に陸松(松の一種)または美松(松の一種)などの軟質木材で製造されているため、露天で風雨に晒されて朽ちていき、さらに季節の変化によりロープとパイプなどの結合部位が割れてしまい安全と美観を損なうという問題点がある。
【発明の開示】
【発明が解決しようとする課題】
【０００５】
本発明は、かかる問題点を解決するためのもので、その目的は、一般木材と硬質木材の連結部位に溝を加工して互いに直交して連結した後、連結部位に締結凹を形成して締結バンドを連結することにより、木材の伸縮性による変形を防止し、耐久性及び密着性を高めて木材柱との結合力を向上させ、さらに、下部に硬質木材を用いることにより、地面との連結部の腐食を予防することができる野外施設物の木材柱連結構造を提供することにある。
【０００６】
また、本発明の他の目的は、木材柱の上部及び下部に保護キャップを設置することにより、木材柱角と外部表面の割れなどによる毀損を防止することができる野外施設物の木材柱連結構造を提供することにある。
【課題を解決するための手段】
【０００７】
上記目的を達成するために、本発明は、硬質木材で四角または円形の棒状に形成され、地面に固定設置され、上面中央部に結合溝が垂設され、上端外周縁に四角または円形の締結凹が形成される下部柱と、軟質木材で四角または円形の棒状に形成され、底面中央部に下部柱の結合溝と結合される結合突起が突設される上部柱と、金属または合成樹脂で四角または円形の帯状に形成され、前記下部柱の締結凹に締結されて前記下部柱と前記上部柱を締結固定させる締結バンドと、金属または合成樹脂製であり、前記上部柱の上端に外嵌される上部保護キャップと、金属または合成樹脂製であり、前記下部柱の下端に外嵌される下部保護キャップと、を含むことを特徴とする。
【０００８】
また、前記下部柱の締結凹には、これを水平に貫通する第１ロープホールが形成され、前記上部柱の締結突起には、第１ロープホールと対応する第２ロープホールが形成され、前記第１ロープホール及び第２ロープホールを貫通するロープがさらに備えられる。
【０００９】
また、前記下部柱と前記上部柱が四角棒状である場合、前記締結バンドは、両端部に第１ボルトホール付きの締結板が内方へ垂直折曲され、半球状の第１リーブが等間隔で幅方向に併設され、前記ロープが貫通する第３ロープホールが形成される、コ字状のボディと；両端部に前記ボディの締結板と結合する第２ボルトホールが形成され、半球状の第２リーブが等間隔で幅方向に併設され、前記木ロープが貫通する第４ロープホールが形成される、長方形板状の結合板と；を備えてなる。
【００１０】
一方、前記下部柱と前記上部柱が円形棒状である場合、前記締結バンドは、両端部に第１ボルトホールが形成され、半球状の第１リーブが等間隔で幅方向に併設され、前記ロープが貫通する第３ロープホールが形成される、半円環状の第１ボディと；両端部に第２ボルトホールが形成され、半球状の第２リーブが等間隔で幅方向に併設され、前記ロープが貫通する第４ロープホールが形成される、第１ボディと結合して円形を成す半円環状の第２ボディと；を備えてなる。
【発明の効果】
【００１１】
上記構成の本発明による野外施設物の木材柱連結構造によれば、一般（軟質）木材と硬質木材の連結部位に溝を加工して互いに直交して連結した後、連結部位に締結凹を形成して締結バンドを連結することにより、木材の伸縮性による変形を防止し、耐久性及び密着性を高めて木材柱との結合力を向上させ、さらに、下部に硬質木材を用いることにより、地面との連結部の腐食を予防することができ、しかも、木材柱の上部及び下部に保護キャップを設置することにより、木材柱角と外部表面の割れなどによる毀損を防止することができるという利点がある。
【発明を実施するための最良の形態】
【００１２】
以下、添付図面に基づき、本発明による野外施設物の木材柱連結構造の構成を詳述する。
【００１３】
以下で本発明を説明するに当たって、関連する公知技術又は構成に関する具体的な説明が本発明の要旨を余計に曖昧にする恐れがあると判断される場合には、その詳細な説明は省かれる。そして、後述する用語は本発明における機能を考慮して定義されたものであって、使用者、運用者の意図や慣例などによって変わる場合がある。従って、その定義はこの明細書の全体に亘っての内容に基づきなされるべきである。
【００１４】
図１は、本発明の一実施例による野外施設物の木材柱連結構造を示す分解斜視図であり、図２は、図１の結合状態を示す斜視図であり、図３は、本発明の他の実施例による野外施設物の木材柱連結構造を示す分解斜視図であり、図４は、図２の結合状態を示す斜視図であり、図５は、図２及び図４の正断面図である。
【００１５】
図１乃至図５を参照すると、本発明による野外施設物の木材柱連結構造１００は、下部柱１１０と、上部柱１２０と、締結バンド１３０と、上部保護キャップ１４０と、下部保護キャップ１５０と、ロープ１６０と、を備えてなる。
【００１６】
先ず、下部柱１１０は、硬質木材で四角または円形の棒状に形成され、地面に固定設置され、上面中央部に結合溝１１１が垂設され、上端外周縁に四角または円形の締結凹１１３が形成される。ここで、下部柱１１０の締結凹１１３には、これを水平に貫通する第１ロープホール１１５が形成される。
【００１７】
また、上部柱１２０は、軟質木材で四角または円形の棒状に形成され、底面中央部に下部柱１１０の結合溝１１１と結合される結合突起１２１が突設される。ここで、上部柱１２０の締結突起１２１には、第１ロープホール１１５と対応する第２ロープホール１２３が形成される。
【００１８】
また、締結バンド１３０は、金属または合成樹脂で四角または円形の帯状に形成され、下部柱１１０の締結凹１１３に締結されて下部柱１１０と上部柱１２０を締結固定させる。
【００１９】
ここで、図１及び図２に示すように、下部柱１１０と上部柱１２０が四角棒状である場合、締結バンド１３０は、両端部に第１ボルトホール１３１−１付きの締結板１３１−２が内方へ垂直折曲され、木材の下部柱１１０と上部柱１２０の収縮／膨脹に対して緩衝機能を有する半球状の第１リーブ１３１−３が等間隔で幅方向に併設され、下記ロープ１６０が貫通する第３ロープホール１３１−４が形成される、コ字状のボディ１３１と； 両端部にボディ１３１の締結板１３１−２と結合する第２ボルトホール１３３−１が形成され、木材の下部柱１１０と上部柱１２０の収縮／膨脹に対して緩衝機能を有する半球状の第２リーブ１３３−２が等間隔で幅方向に併設され、ロープ１６０が貫通する第４ロープホール１３３−３が形成される、長方形板状の結合板１３３と；を備えてなる。
【００２０】
また、図３及び図４に示すように、下部柱１１０と上部柱１２０が円形棒状である場合、締結バンド１３０は、両端部に第１ボルトホール１３５−１が形成され、木材の下部柱１１０と上部柱１２０の収縮／膨脹に対して緩衝機能を有する半球状の第１リーブ１３５−２が等間隔で幅方向に併設され、ロープ１６０が貫通する第３ロープホール１３５−３が形成される、半円環状の第１ボディ１３５と；両端部に第２ボルトホール１３７−１が形成され、木材の下部柱１１０と上部柱１２０の収縮／膨脹に対して緩衝機能を有する半球状の第２リーブ１３７−２が等間隔で幅方向に併設され、ロープ１６０が貫通する第４ロープホール１３７−３が形成される、第１ボディ１３５と結合して円形を成す半円環状の第２ボディ１３７と；を備えてなる。
【００２１】
また、上部保護キャップ１４０は、金属または合成樹脂製であり、前記上部柱１２０の上端に外嵌される。好ましくは、上部保護キャップ１４０は圧入式で固定し、別途のボルトなどで締結することができる。
【００２２】
一方、下部保護キャップ部１５０は、金属または合成樹脂製であり、前記下部柱１１０の下端に外嵌される。好ましくは、下部保護キャップ１５０は圧入式で固定し、別途のボルトなどで締結することができる。
【００２３】
また、ロープ１６０は、下部柱１１０と上部柱１２０を他の柱と連携して遊び施設または遮断施設を製作できるように、下部柱１１０の第１ロープホール１１５と上部柱１２０の第２ロープホール１１２３を貫通し、締結バンド１３０の第３ロープホール１３１−４、１３５−３と第４ロープホール１３３−３、１３７−３を介して引き出される。
【００２４】
以下、本発明による野外施設物の木材柱連結構造の設置過程及び作用を添付図面を参照して詳細に説明する。
【００２５】
先ず、下部柱１１０に下部保護キャップ１５０を外嵌した後、凹溝部に挿入固定する。
【００２６】
その後、下部柱１１０の結合溝１１１に上部柱１２０の結合突起１２１を嵌め込み、下部柱１１０の締結凹１１３に締結バンド１３０を締結する。
【００２７】
前記方式で下部柱１１０と上部柱１２０を設置し、これに連携して各種構造物を設置する。
【００２８】
したがって、本発明によれば、軟質木材の欠点を解消して安全事故を未然に予防し、木材の腐食及び毀損による美観上の問題を解決し、さらに、美的感覚を高めて情緒を豊かにし、快適な環境を実現し、しかも、耐久寿命を既存製品に比べて５倍以上伸ばして資源削減による経済的効果を図ることができる。
【００２９】
以上、本発明の実施例を挙げて本発明を詳細に説明したが、本発明はこれらの実施例に限定されるものではなく、本発明の技術思想の範囲を逸脱しない範囲内であれば、当業者による各種の実施例の変更または応用が可能であり、また、その変更または応用範囲は、本発明の権利範囲の範ちゅうに属するとみなすことができる。
【図面の簡単な説明】
【００３０】
【図１】本発明の一実施例による野外施設物の木材柱連結構造を示す分解斜視図である。
【図２】図１の結合状態を示す斜視図である。
【図３】本発明の他の実施例による野外施設物の木材柱連結構造を示す分解斜視図である。
【図４】図２の結合状態を示す斜視図である。
【図５】図２及び図４の正断面図である。
【符号の説明】
【００３１】
１１０    下部柱
１２０    上部柱
１３０    締結バンド
１４０    上部保護キャップ
１５０    下部保護キャップ
【図１】
2008144579.tif 000003
【図２】
2008144579.tif 000004
【図３】
2008144579.tif 000005
【図４】
2008144579.tif 000006
【図５】
2008144579.tif 000007